(57)【要約】【課題】部品点数が少ないために信頼性が高く、かつ、取り付け容易に構成された、低コストの除湿素子モジュールおよび除湿素子を提供することを目的とする。【解決手段】表裏面に陽極４と陰極５が一体にて形成された除湿素子６と、陽極側引き出し電極８と、陰極側引き出し電極９と、陽極側引き出し電極８および陰極側引き出し電極９を覆うための外層フィルム２１、２２を加圧・加熱し、樹脂層２３にて一体成形することにより除湿素子モジュール２０を作製し、表裏面の少なくとも１方に両面粘着フィルム４１を設ける。作成した除湿素子モジュール２０を、両面粘着フィルム４１、もしくは蓋部材５１、５２により狭持してボルト・ナット５４、５５にて、電源とは分離して除湿対象物４２に取り付けることにより、信頼性の向上とコンパクト化を図る。【選択図】      図１
2004223474.tif 000002
【特許請求の範囲】
【請求項１】
固体高分子電解質膜と、この固体高分子電解質膜の一方の面上に形成された通気性を有する導電体からなる陽極と、前記固体高分子電解質膜の他方の面上に、この陽極と対峙するように形成された通気性を有する導電体からなる陰極にて構成される除湿素子と、
前記陽極の周辺部に前記陽極と電気的に接続するように設けられ、外部電源の正電極と電気的接続するための外部電極端子を備えた枠体状の陽極側引き出し電極と、
前記陰極の周辺部に前記陰極と電気的に接続するように設けられ、前記外部電源の負電極と電気的接続するための外部電極端子を備えた枠体状の陰極側引き出し電極と、
前記陽極側引き出し電極を覆うように設けられた第一の絶縁性外層膜と、
前記陰極側引き出し電極を覆うように設けられた第二の絶縁性外層膜とが、前記第一の絶縁性外層膜と前記第二の絶縁性外層膜間に狭持された樹脂層により一体化されてなり、前記第一の絶縁性外層膜若しくは前記第二の絶縁性外層膜の少なくともいずれか一方の表面に貼着された両面粘着樹脂により除湿対象物に固定されてなる除湿素子モジュール。
【請求項２】
固体高分子電解質膜と、この固体高分子電解質膜の一方の面上に形成された通気性を有する導電体からなる陽極と、前記固体高分子電解質膜の他方の面上に、この陽極と対峙するように形成された通気性を有する導電体からなる陰極にて構成される除湿素子と、
前記陽極の周辺部に前記陽極と電気的に接続するように設けられ、外部電源の正電極と電気的接続するための外部電極端子を備えた枠体状の陽極側引き出し電極と、
前記陰極の周辺部に前記陰極と電気的に接続するように設けられ、前記外部電源の負電極と電気的接続するための外部電極端子を備えた枠体状の陰極側引き出し電極と、
前記陽極側引き出し電極を覆うように設けられた第一の絶縁性外層膜と、
前記陰極側引き出し電極を覆うように設けられた第二の絶縁性外層膜とが、前記第一の絶縁性外層膜と前記第二の絶縁性外層膜間に狭持された樹脂層により一体化されてなる除湿素子モジュールと、
通気用の窓を備え、前記除湿素子モジュールを密封狭持するための第一の蓋部材と、
通気用の窓とシール材の埋め込み溝を内面に備え、前記第一の蓋部材と嵌合することにより、前記シール材にて前記除湿素子モジュールを密封狭持する第二の蓋部材とにて構成され、前記第一若しくは前記第二の蓋部材の少なくともいずれか一方の外部表面にシール材の埋め込み溝を備え、この埋め込み溝に埋め込まれたシール材を介して除湿対象物に固定されてなる除湿装置。
【発明の詳細な説明】
【０００１】
【発明の属する技術分野】
本発明は、除湿素子モジュールおよび除湿装置に関し、ことに、固体高分子電解質膜を用いた電気化学的除湿素子モジュールおよび除湿装置に関するものである。
【０００２】
【従来の技術】
従来の除湿装置は、電源機器の操作ボックスやデシケータ、あるいは電子機器を搭載した交通監視装置のような、屋外にて独立設置された、内部空間に余裕のある、ほぼ密閉系である機器等の除湿を主目的としていたため、独立した電源あるいはインバータ等の電源機器が設けられており、また、コンパクト化は特に考慮されていなかった。さらに、従来の除湿素子はゴムパッキンを挟み、ボルト・ナット等を用いて気密性を保つように除湿装置を構成する筐体に取り付けられており、部品点数が多く、コンパクト化およびメンテナンス性の観点から、改善の余地を有していた（例えば、特許文献１）。
【０００３】
【特許文献１】
特開平６−６３３４３号公報（第３−４頁、第１図、第２図）
【０００４】
【発明が解決しようとする課題】
近年、電気化学的除湿素子を用いた除湿装置は、わずかな電源供給のみで大きな除湿効果が得られることから用途が急激に拡大してきている。従来の除湿素子は上述したように独立した電源等を備えていたが、電気化学的除湿素子の稼動に必要な電圧は数ボルト程度で、消費電力量も小さいため、これまでの使用実績から、かかる独立電源等は不要であることが判明してきた。すなわち、屋内、例えば、一般家庭の室内において使用する場合、通常は、電源は容易に確保できる。また、屋外にて使用する場合においては、除湿対象物が電気機器であれば電源は容易に確保でき、除湿対象物が電気機器以外の、例えば、百葉箱のようなものが除湿対象となるような場合であっても、太陽電池とバッテリーとを組合せれば容易に除湿素子を稼動させることができる。また、インバーター等の電源機器は、基本的には除湿素子と容易に分離配置できるものである。このように、いずれの場合においても、電源確保に特に大きな支障はなく、除湿装置内部に独立した電源等を配置する意味が薄れてきていた。一方、食品産業や電子産業において、クリーンルーム内等での材料・部品の運搬・保存等に対して除湿装置の適用が検討されることとなり、軽量化、コンパクト化の要求が強くなってきた。その結果、従来のような、筐体内部に、独立電源等と共に除湿素子を固定する箱型の除湿装置では適用が困難な対象が増加しつつあった。
【０００５】
本発明はかかる課題を解決することを目的とし、部品点数を削減することにより除湿素子モジュールのコンパクト化および信頼性の向上を図り、かつ、独立電源と分離することにより、狭小空間における除湿素子モジュールおよび除湿装置の適用を可能とするものである。
【０００６】
【課題を解決するための手段】
この発明にかかる除湿素子モジュールは、固体高分子電解質膜と、固体高分子電解質膜の一方の面上に形成された通気性を有する導電体からなる陽極と、固体高分子電解質膜の他方の面上に、陽極と対峙するように形成された通気性を有する導電体からなる陰極にて構成される除湿素子と、陽極の周辺部に陽極と電気的に接続するように設けられ、外部電源の正電極と電気的接続するための外部電極端子を備えた枠体状の陽極側引き出し電極と、陰極の周辺部に陰極と電気的に接続するように設けられ、外部電源の負電極と電気的接続するための外部電極端子を備えた枠体状の陰極側引き出し電極と、陽極側引き出し電極を覆うように設けられた第一の絶縁性外層膜と、陰極側引き出し電極を覆うように設けられた第二の絶縁性外層膜とが、第一の絶縁性外層膜と第二の絶縁性外層膜間に狭持された樹脂層により一体化されてなり、第一の絶縁性外層膜若しくは第二の絶縁性外層膜の少なくともいずれか一方の表面に貼着された両面粘着樹脂により除湿対象物に固定されたものである。
【０００７】
この発明にかかる除湿装置は、固体高分子電解質膜と、固体高分子電解質膜の一方の面上に形成された通気性を有する導電体からなる陽極と、固体高分子電解質膜の他方の面上に、陽極と対峙するように形成された通気性を有する導電体からなる陰極にて構成される除湿素子と、陽極の周辺部に陽極と電気的に接続するように設けられ、外部電源の正電極と電気的接続するための外部電極端子を備えた枠体状の陽極側引き出し電極と、陰極の周辺部に陰極と電気的に接続するように設けられ、外部電源の負電極と電気的接続するための外部電極端子を備えた枠体状の陰極側引き出し電極と、陽極側引き出し電極を覆うように設けられた第一の絶縁性外層膜と、陰極側引き出し電極を覆うように設けられた第二の絶縁性外層膜とが、第一の絶縁性外層膜と第二の絶縁性外層膜間に狭持された樹脂層により一体化されてなる除湿素子モジュールと、通気用の窓を備え、除湿素子モジュールを密封狭持するための第一の蓋部材と、通気用の窓とシール材の埋め込み溝を内面に備え、第一の蓋部材と嵌合することにより、シール材にて除湿素子モジュールを密封狭持する第二の蓋部材とにて構成され、第一若しくは第二の蓋部材の少なくともいずれか一方の外部表面にシール材の埋め込み溝を備え、埋め込み溝に埋め込まれたシール材を介して除湿対象物に固定されたものである。
【０００８】
【発明の実施の形態】
以下、本発明をより詳細に説明するために、添付の図面に基づいてこれを説明する。
実施の形態１
図１は、本発明にかかる除湿素子モジュールを上面から見た図である。かかる除湿素子モジュール２０は、固体高分子電解質膜、陽極、陰極にて構成される除湿素子６と、この除湿素子６の両面に設けられた陽極側引き出し電極８および陰極側引き出し電極９が外装フィルム２１にて覆われるように一体成型され、さらに、外装フィルム２１の表面に、除湿対象物に取り付けるための両面粘着樹脂４１（シール材）が設けられたものである。なお、図中、８Ａは陽極側外部電極端子、９Ａは陰極側外部電極端子、４０Ａ、４０Ｂは、各々、陽極側外部電極端子および陰極側外部電極端子に接続された配線を示している。
また、図２は、本発明にかかる除湿素子モジュール２０を側面から見た図で、両面粘着樹脂４１は除湿素子モジュール２０の陽極側の外装フィルム２１の表面に貼着されていることが分かる。なお、図中、１４は配線４０Ｂが接続される電源を意味している。
本実施の形態にかかる除湿素子モジュール２０は以上のように構成され、外装フィルム２１の表面に設けられた両面粘着樹脂４１を介して除湿対象物に取り付けられることになる。
【０００９】
従来の除湿素子モジュールは、電源機器の操作ボックスやデシケータ、あるいは電子機器を搭載した交通監視装置のような、屋外にて独立設置された、内部空間に余裕のある、ほぼ密閉系である機器等の除湿を主目的として構成されていたため、長期の劣悪環境下での使用を考慮して専用の筐体内に保持されていた（例えば、「結露対策機器  ＳＲ除湿器ロサール（商品名）」、菱彩テクニカ株式会社製品カタログ、２００２年７月作成、Ｐ．３−４に開示がある）。しかしながら、近年の用途開発により、半導体産業や食品産業においても適用が検討されるようになった結果、使用環境は良好であるが、設置空間に余裕がないような状況も存在することが判明してきた。そのため、本発明にかかる除湿素子モジュールは、除湿素子を樹脂成形により一体成形し、部品点数を削減させると共にコンパクト化を図り、電源機器等とは独立させて、両面粘着性の樹脂にて除湿対象物の開口部に直接取り付ける構成を採用し、狭小空間における適用を可能としたものである。なお、上述の半導体産業や食品産業における生産ラインにて適用される場合、クリーンルーム等の屋内にて使用されるケースが大半で、両面粘着樹脂４１には紫外線の照射がほとんどなく、紫外線照射による樹脂成分の劣化を考慮する必要がない。そのため、両面粘着樹脂４１の耐久性が低下する恐れは限りなく小さく、通常の使用であれば、１０年を越える寿命が容易に確保できる。なお、両面粘着樹脂としては、例えば、基材を不職布とした厚さ４００μｍの日東電工株式会社製両面接着テープＨＪ−０２４０を用いることができる。この両面接着テープＨＪ−０２４０は、引き剥がし粘着力が１９．７Ｎ／２０ｍｍ幅、せん断接着力が５２０Ｎ／（２０ｍｍ×２０ｍｍ）と強力な粘着性を有している。また、上述の除湿素子モジュール２０（１００ｍｍ□）の重量は、陽極側引き出し電極８および陰極側引き出し電極９として、厚み０．５ｍｍのステンレス（ＳＵＳ３０４製）板（大きさは：９０ｍｍ□）に８０ｍｍ□の開口部を設けた場合で１００ｇ以下と軽量なため、除湿対象物が平滑平面を有している場合、両面接着テープとしてＨＪ−０２４０を用いると十分な取り付け強度が得られる。
【００１０】
図３は除湿素子モジュール２０の断面構成図である。本発明にかかる除湿素子モジュール２０は、図３に示されたように、除湿素子６の表裏面に陽極側引き出し電極８および陰極側引き出し電極９を配置し、周縁部を上外層フィルム２１（第一の絶縁性外層膜）と、下外層フィルム２２（第二の絶縁性外層膜）にて覆うとともに、エポキシ樹脂層２３にて一体成型し、上外層フィルム２１の表面に両面粘着樹脂４１が貼着されたものである。また、除湿素子６は、デュポン社製固体高分子電解質膜１（ナフィオン膜：厚み１８０μｍ）の表裏面に、陽極４として厚み１００μｍの白金メッキしたチタンメッシュにβ型の二酸化鉛を電着させたものを、また、陰極５として厚み３００μｍのカーボンペーパーの表面に白金を坦持したカーボン粉で触媒層を形成したものを積層させることにより作製されたものである。なお、ナフィオン膜１の大きさは、１００ｍｍ□とし、陽極４および陰極５の大きさは、９０ｍｍ□とした。また、陽極側引き出し電極８および陰極側引き出し電極９として、厚み０．５ｍｍのステンレス（ＳＵＳ３０４製）板（大きさは：９０ｍｍ□）に８０ｍｍ□の開口部を設け、枠体状に加工したものを用いている。
【００１１】
次に、かかる除湿素子モジュールの製造方法を説明する。図４は本発明にかかる除湿素子モジュール２０（両面粘着樹脂４１を除く）のホットプレス加工時の部品配置を示す図であり、除湿素子６としては、ホットプレス加工を用いて固体高分子電解質膜１の表裏面に陽極４および陰極５が予め形成されたものを用いている。
まず初め、真空加圧プレス機（日新製作所製：ＮＲＫ２５／３００Ｍ）の加工ステージ２６上に、除湿素子の不要な変形を防止するため、可澆性シート３２を敷く。次に、陰極側引き出し電極９の厚みに合わせた厚みを有する電極保護用クッション材３１を敷き、その上に、下外層フィルム２２（第二の絶縁性外層膜）、陰極側引き出し電極９、除湿素子６、陽極側引き出し電極８、上外層フィルム２１（第一の絶縁性外層膜）を配置し、さらにその上に陽極側引き出し電極８の厚みに合わせた厚みを有する電極保護用クッション材３１と上型クッション材３０を設置し、可澆性シート３２を敷く。なお、上外層フィルム２１および下外層フィルム２２としては、厚み０．１ｍｍのＰＥＴ（ポリエチレンテレフタレート）フィルムに、東亜合成社製エポキシ樹脂アロンマイティＢＸ−６０（樹脂層２３）を２０μｍの厚みに塗付し、プリプレグ（半硬化）状態とすることにより接着性を付与したものを用いた。
【００１２】
このような構成に各部材を配置し、加熱温度１８０℃、加圧５０Ｋｇｆ／ｃｍ２、真空度１．３×１０４Ｐａにて１５分保持する条件にてホットプレス加工を実施した。また、ホットプレス加工実施後、加熱を停止して１５分間放置することにより室温まで除冷した。なお、本実施の形態においては、除湿素子６として加熱成形体を用いているが、一旦加熱成型された樹脂を再加熱すると加熱成形体が性状劣化を生じる恐れがあるため、成形温度は通常よりやや低目に、また、ホットプレス加工時間は通常よりやや長目に設定している。
また、本実施の形態においては、可澆性シート３２としては厚み３ｍｍのＳｉゴムシートを、上型クッション材３０および電極保護用クッション材３１としては厚み１．２ｍｍのガラスエポキシ基板の表面に厚み０．５ｍｍのフッ素樹脂製シートを貼り付けたものを用いたが、これら可澆性シート３２、上型クッション材３０、電極保護用クッション材３１としては、２００℃以上の耐熱性と弾力性を有する材料であれば特に限定されるものではなく、所望の成形ができるよう硬度、伸び等を考慮したものを用いることができる。
このような加熱成形により除湿素子６と陽極側引き出し電極８、陰極側引き出し電極９、上外層フィルム２１、下外層フィルム２２がエポキシ樹脂層２３にて一体成形された後に、上外層フィルム２１の表面に両面粘着樹脂４１を貼着することにより本実施の形態にかかる除湿素子モジュールが完成する。
【００１３】
次に、本実施の形態にかかる除湿素子モジュールを除湿対象物に取り付ける方法につき説明する。図５は、上述した除湿素子モジュール２０の陽極側表面に両面粘着樹脂４１を設け、除湿対象物４２の開口部４３に取り付けた状態を示している。このように、本実施の形態にかかる除湿素子モジュール２０はホットプレス加工により、軽量コンパクトに成形されるとともに、両面粘着樹脂４１にて除湿対象物４２に直接取り付けることができ便利である。また、上述のように、両面粘着樹脂４１は光劣化を生じる恐れがきわめて低いため、１０年以上の寿命が容易に確保できる。
なお、本実施の形態においては、両面粘着樹脂４１は陽極側の上外装フィルム２１の表面に設けられたが、両面粘着樹脂４１は陰極側の下外装フィルム２２の表面に設けてもよい。その場合、図５で示した除湿素子モジュール２０と除湿対象物４２の位置関係は開口部４３を挟んで、逆となる。すなわち、両面粘着樹脂４１が陽極側の上外装フィルム２１の表面に設けられる場合、除湿素子モジュール２０は除湿対象物４２の外側に置かれるが、両面粘着樹脂４１が陰極側の下外装フィルム２２の表面に設けられた場合には、除湿素子モジュール２０は除湿対象物４２の内側に置かれることになる。通常は、除湿対象物４２の内部に比べ外部側に空間的余裕がある場合が多いため、除湿素子モジュール２０は除湿対象物４２の外側に配置されるが、除湿対象物４２の内部に除湿素子モジュール２０を配置するだけの空間的余裕がある場合には、除湿素子モジュール２０の保護及び設置環境の観点からは、除湿素子モジュール２０を除湿対象物４２の内側に配置した方が好ましい。従って、両面粘着樹脂４１を除湿素子モジュール２０の陽極側に配置するか陰極側に配置するかは、除湿素子モジュール２０の設置スペース、除湿素子モジュールの保護及び設置環境の観点から決定すればよい。
【００１４】
以上、本発明にかかる除湿素子モジュールにおいては、除湿素子と外部取り出し電極を外装フィルムで覆い、樹脂層にて一体成型したため、除湿素子の外周部全体にわたり、陽極側引き出し電極および陰極側引き出し電極と陽極および陰極との良好な電気的接続状態が得られる。また、部品点数が削減されることによりコンパクト化が図られ、しかも信頼性が高い除湿素子モジュールが実現される。さらに、除湿素子モジュールを電源と分離させ、両面粘着樹脂にて除湿対象物に直接取り付ける構造としたため、除湿素子モジュールの狭小空間における適用が可能となり、好適である。
【００１５】
実施の形態２
図６は、本発明にかかる除湿装置の構成例を示す分解斜視図である。かかる除湿装置は、実施の形態１にて示した除湿素子モジュール２０を、２つの蓋部材５１（第一の蓋部材）および蓋部材５２（第二の蓋部材）にて狭持したものである。蓋部材５１には通気窓５１Ａ、外部電極からの配線を通すための溝５１Ｂ、ボルト・ナット用のネジ穴５１Ｃおよび図示しないが、後述の突起部５２Ｅと嵌合するための凹部が設けられている。また、蓋部材５１の対となる蓋部材５２には通気窓５２Ａ、外部電極からの配線を通すための溝５２Ｂ、ボルト・ナット用のネジ穴５２Ｃ、除湿素子モジュール２０を狭持するＯリング（シール材）を固定するための溝５２Ｄおよび蓋部材５１との嵌合のための突起部５２Ｅが設けられている。また、蓋部材５２には、図示されない外部面において、除湿対象物との間の密着性を保持するＯリング５３を固定する溝が設けられている。
【００１６】
図７は、本発明にかかる除湿装置を除湿対象物４２に取り付けた場合の断面構成を説明する図である。上述のように、除湿素子モジュール２０は蓋部材５１および５２により狭持され、蓋部材５２の外部面に設けられたＯリング溝５２Ｆに固定されたＯリング５３を介してボルト５４およびナット５５にて除湿対象物４２に取り付けられている。また、蓋部材５１は突起部５１Ｄ’にて除湿素子モジュール２０を蓋部材５２に押し付けており、除湿素子モジュール２０はＯリング５３により蓋部材５２との間の密着性を保持している。なお、ボルト５４およびナット５５は蓋部材５１および５２を狭持すると共に、除湿装置を除湿対象物４２に取り付ける役割をも果たしている。
【００１７】
また、本実施の形態においては、除湿モジュール２０は円形断面を有するＯリング５３を介して蓋部材５２と密着保持されていたが、Ｏリングのような環状断面を有するゴム製パッキンの代わりに楕円形や矩形断面を有するようなゴム製パッキンをシール材として用いてもよい。また、Ｏリング５３の代わりに両面粘着樹脂４１やその他のシール材を用いてもよい。さらに、Ｏリング５３は蓋部材５２に配置されたが、蓋部材５１に配置してもよく、その場合は、実施の形態１にて述べたように、除湿装置は除湿対象物の内部に設置されることになる。また、密着性を向上させる観点からは、Ｏリング５３を蓋部材５２と５１の両方に設けてもよい。
なお、除湿装置はボルト５４およびナット５５により除湿対象物４２に取り付けられたが、蓋部材５２もしくは５１のいずれかの表面に両面粘着樹脂４１（シール材）を設けることにより除湿対象物４２に取り付けることも可能であることはいうまでもない。
【００１８】
以上、本発明にかかる除湿装置においては、除湿素子と外部取り出し電極を外装フィルムで覆い、樹脂層にて一体成型することにより除湿素子モジュールを形成し、蓋部材で覆うとともに、蓋部材に設けたＯリングにより除湿対象物に取り付ける構成としたため、部品点数が削減され、コンパクト化された除湿素子モジュールを、容量をあまり増加させることなく保護することができ、狭小空間における適用が可能な除湿素子モジュールの信頼性をさらに高める除湿装置が得られ、好適である。
【００１９】
【発明の効果】
以上、本発明にかかる除湿素子モジュールは、固体高分子電解質膜と、固体高分子電解質膜の一方の面上に形成された通気性を有する導電体からなる陽極と、固体高分子電解質膜の他方の面上に、陽極と対峙するように形成された通気性を有する導電体からなる陰極にて構成される除湿素子と、陽極の周辺部に陽極と電気的に接続するように設けられ、外部電源の正電極と電気的接続するための外部電極端子を備えた枠体状の陽極側引き出し電極と、陰極の周辺部に陰極と電気的に接続するように設けられ、外部電源の負電極と電気的接続するための外部電極端子を備えた枠体状の陰極側引き出し電極と、陽極側引き出し電極を覆うように設けられた第一の絶縁性外層膜と、陰極側引き出し電極を覆うように設けられた第二の絶縁性外層膜とが、第一の絶縁性外層膜と第二の絶縁性外層膜間に狭持された樹脂層により一体化されてなり、第一の絶縁性外層膜若しくは第二の絶縁性外層膜の少なくともいずれか一方の表面に貼着された両面粘着樹脂により除湿対象物に固定されているため、部品点数が削減されることによりコンパクト化および信頼性の向上が図られ、狭小空間における適用が可能な信頼性に優れた除湿素子モジュールが実現される。
【００２０】
この発明にかかる除湿装置は、固体高分子電解質膜と、固体高分子電解質膜の一方の面上に形成された通気性を有する導電体からなる陽極と、固体高分子電解質膜の他方の面上に、陽極と対峙するように形成された通気性を有する導電体からなる陰極にて構成される除湿素子と、陽極の周辺部に陽極と電気的に接続するように設けられ、外部電源の正電極と電気的接続するための外部電極端子を備えた枠体状の陽極側引き出し電極と、陰極の周辺部に陰極と電気的に接続するように設けられ、外部電源の負電極と電気的接続するための外部電極端子を備えた枠体状の陰極側引き出し電極と、陽極側引き出し電極を覆うように設けられた第一の絶縁性外層膜と、陰極側引き出し電極を覆うように設けられた第二の絶縁性外層膜とが、第一の絶縁性外層膜と第二の絶縁性外層膜間に狭持された樹脂層により一体化されてなる除湿素子モジュールと、通気用の窓を備え、除湿素子モジュールを密封狭持するための第一の蓋部材と、通気用の窓とシール材の埋め込み溝を内面に備え、第一の蓋部材と嵌合することにより、シール材にて除湿素子モジュールを密封狭持する第二の蓋部材とにて構成され、第一若しくは第二の蓋部材の少なくともいずれか一方の外部表面にシール材の埋め込み溝を備え、埋め込み溝に埋め込まれたシール材を介して除湿対象物に固定されているため、部品点数が削減され、コンパクト化された除湿素子モジュールを、容量をあまり増加させることなく保護することができ、狭小空間における適用が可能な除湿素子モジュールの信頼性をさらに高める除湿装置が得られる。
【図面の簡単な説明】
【図１】本発明にかかる除湿素子モジュールの構成を説明する正面図である。
【図２】本発明にかかる除湿素子モジュールの構成を説明する側面図である。
【図３】本発明にかかる除湿素子モジュールの構成を説明する断面図である。
【図４】本発明にかかる除湿素子モジュールの成形方法を説明する断面図である。
【図５】本発明にかかる除湿素子モジュールの取り付け状態を説明する図である。
【図６】本発明にかかる除湿装置の構成を説明する斜視図である。
【図７】本発明にかかる除湿装置の取り付け状態を説明する図である。
【符号の説明】
１  固体高分子電解質膜、４  陽極、５  陰極、６  除湿素子、
８  陽極側引き出し電極、８Ａ  陽極側外部電極端子、
９  陰極側引き出し電極、９Ａ  陰極側外部電極端子、
２０  除湿素子モジュール、２１  上外層フィルム、２２  下外層フィルム、
２３  エポキシ樹脂層、２６  加工ステージ、３０  上型クッション材、
３１  電極保護用クッション材、３２  可撓性シート、４０Ａ  配線、
４０Ｂ  配線、４１  両面粘着樹脂、４２  除湿対象物、４３  開口部、
５１  蓋部材、５１Ａ  開口、５１Ｂ  配線取り出し口、５１Ｃ  ネジ穴、
５１Ｄ  溝、５１Ｄ’  突起部、５２  蓋部材、５２Ａ  開口、
５２Ｂ  配線取り出し口、５２Ｃ  ネジ穴、５２Ｄ  Ｏリング溝、
５２Ｅ  突起部、５２Ｆ  Ｏリング溝、５３  Ｏリング、５４  ネジ、
５５  ナット。
【図１】
2004223474.tif 000003
【図２】
2004223474.tif 000004
【図３】
2004223474.tif 000005
【図４】
2004223474.tif 000006
【図５】
2004223474.tif 000007
【図６】
2004223474.tif 000008
【図７】
2004223474.tif 000009